(57)【要約】      （修正有）【課題】携帯しやすくしたテニスやバドミントン等用のネットサポートを提供する。【解決手段】伸縮式立柱２、コネクター５、サポートパイプ３、立柱サポート伸縮架４がある。二本のサポートパイプが二本の伸縮式立柱の底部のコネクターの両側に連接され、立柱サポート伸縮架の上の部分が二本の伸縮式立柱の滑り部品の上に連接され、下の部分が二つのコネクターに連接される。上記構造により、折り畳み、体積を小さくすることができ、携帯と外出旅行する時に最適となる。もしテニスをすれば、伸縮式立柱を開けなくて、他のすべての部分を開けるだけでいい。もしバドミントンをしたければ、伸縮式立柱を上に引っ張るだけでいい。クリップ及び跳珠孔など各種の固定方式があるので、連接構造が非常にしっかりしていて、非常にいい実用価値がある。【選択図】図１
0003143234.tif 000002
【実用新案登録請求の範囲】
【請求項１】
これは一種のネットサポートであり、ネットを支えたり、打開したりする時に使い、その特徴が次の通りである：ネットサポートには、伸縮式立柱、コネクター、サポートパイプ、立柱サポート伸縮架がある。二本のサポートパイプが二本の伸縮式立柱の底部のコネクターの両側に連接され、立柱サポート伸縮架の上の部分が二本の伸縮式立柱の滑り部品の上に連接され、下の部分が二つのコネクターに連接される。
【請求項２】
請求項１で述べた内容によると、このネットサポートの特徴は次の通りである：伸縮式立柱の滑り部品の下方でコネクターに近いところに対穿孔があり、支え台が完全に打開された後、滑り部品が対穿孔の下方の位置に落ちて、その後対穿孔に設置された立柱ブラグで滑り部品を固定する。サポートパイプ内における連接用の固定ボルトの上にばねがあり、サポートパイプの外側にパイプクリップがあり、パイプクリップと相応するコネクターの位置の上に差込口がある。
【請求項３】
請求項１と２で述べた内容によると、このネットサポートの特徴は次の通りである：該伸縮式立柱は外管と内管からなり、外管と内管は跳珠孔方式で連接される。
【考案の詳細な説明】
【技術分野】
【０００１】
本実用新型はあるネットサポートに関わる内容であり、具体的に言えば、容易に畳み込み、しかも丈夫なネットサポートである。
【背景技術】
【０００２】
今では、テニスとバドミントンで体を鍛える人は沢山いるが、場所とネットが探しにくい。目下のネットサポートのほとんどが一体式で折り畳めないもので、体積も大きいので、一般の家庭はそれを買うのが不可能で、実用の価値も大きくない。しかし、テニスとバドミントンをする時、ネットがなければやはりいけない。従って、畳み込めて携帯しやすいネットを設計するのは非常にありがたい構想である。それができれば、われわれは体育館を家庭に移り、沢山の場合、ひいては旅行する時でも専門的な運動をすることができるようになる。
【考案の開示】
【考案が解決しようとする課題】
【０００３】
国際市場の同類製品（専売特許番号：アメリカ05816956と日本3195344）、取付のプロセスが複雑で、構造も安定ではなく、携帯も不便である。
【０００４】
本実用新型が解決すべき技術問題は、現存技術の不足を解決し、ネットサポートを携帯しやすくする。
【課題を解決するための手段】
【０００５】
本実用新型が技術問題を解決する時に採用する方案は次の通りである：サポートでネットを引いて開ける。ネットサポートには伸縮式立柱、コネクター、サポートパイプ、立柱サポート伸縮架がある。二本のサポートパイプが二本の伸縮式立柱の底部のコネクターの両側に連接され、立柱サポート伸縮架の上の部分が二本の伸縮式立柱の滑り部品の上に連接され、下の部分が二つのコネクターに連接される。
【０００６】
伸縮式立柱の滑り部品の下方でコネクターに近いところに対穿孔があり、支え台が完全に打開された後、滑り部品が対穿孔の下方の位置に落ちて、その後対穿孔に設置された立柱ブラグで滑り部品を固定する。サポートパイプ内における連接用の固定ボルトの上にばねがあり、サポートパイプの外側にパイプクリップがあり、パイプクリップと相応するコネクターの位置の上に差込口がある。
【０００７】
該伸縮式立柱は外管と内管からなり、外管と内管は跳珠孔方式で連接される。
【考案の効果】
【０００８】
本実用新型は現存のネットサポートと比べれば、下記の利点がある：
本実用新型は充分に折り畳み、体積を小さくすることができ、携帯と外出旅行する時に最適である。もしテニスをすれば、伸縮式立柱を開けなくて、他のすべての部分を開けるだけでいい。もしバドミントンをしたければ、伸縮式立柱を上に引っ張るだけでいい。クリップ及び跳珠孔など各種の固定方式があるので、連接構造が非常にしっかりしていて、非常にいい実用価値がある。
【考案を実施するための最良の形態】
【０００９】
以下では説明書の付録図を参照して本実用新型を詳しく説明する。
【００１０】
本実用新型はネットサポートとして、ネット１を支えるのに使い、ネットサポートには伸縮式立柱2、コネクター5、サポートパイプ3、立柱サポート伸縮架4などあり、二本のサポートパイプ3が伸縮式立柱２の底部のコネクター5の両側に連接され、立柱サポート伸縮架4の上の部分が二本の伸縮式立柱2の滑り部品6の上に連接され、下の部分が二つのコネクター5に連接される。
【００１１】
図1、図3、図4のようである。
【００１２】
伸縮式立柱の下端とコネクター5がねじで固定され、その垂直度を保持し、滑り部品6を伸縮式立柱の上につけて、滑り部品とパイプからなる立柱支え伸縮架4をねじで繋がり、伸縮式立柱2の上で滑ることができる。伸縮式立柱の外管2の中に伸縮内パイプ10があり、伸縮内パイプが伸縮式立柱外管2から引き出すことができる。伸縮内パイプ10の上に結び目があり、球網布の上の結び目で球網を固定する。伸縮内パイプ10が伸縮式立柱の外管2の中から一定の高度を引き出した後、伸縮内パイプ10に固定する跳珠で跳珠孔の上に固定する。図5を見てください。
【００１３】
二本のサポートパイプ3とコネクター5がねじで繋がり、しかもパイプ内部と固定ねじの間に連接用のばねがあり、伸縮することができる。サポートパイプ3の上に固定用ブラグが二つあり、ばねの伸縮性を通じて、ブラグはコネクター5の上の二つの位置でそれを固定し、伸展と縮めの機能をする。図2と図4を見てください。
【００１４】
伸縮式立柱の下端でコネクター5に近い位置に、対穿孔7がある。機構全体のサポート枠が完全に打開された後、ブラグ12と滑り部品6で伸縮式立柱の対穿孔7の上に固定する。
【００１５】
立柱支え伸縮架4の任意の二本のパイプをねじで繋がり、十字交差のコネクターを組成する；二本のパイプの両端が再び同様の十字交差のコネクターのパイプ二本で繋がり、このプロセスを重複していくつかの同様な十字交差のコネクターを繋がり、機構支え台中間の伸縮部分を組成する。図6を見てください。
【００１６】
機構支え台を全部打開した後、球網の両端を伸縮式立柱の上につけて、その後球網両端の上の結び目を伸縮内パイプ10の結び目と結びつけて、きつくした後、球網架として使用することができる。図1を見てください。
【００１７】
伸縮内パイプ10を跳珠孔の位置に引き出し、バドミントン架として使用できる。図7と図8を見てください。
【図面の簡単な説明】
【００１８】
【図１】付録図1はネットサポートの構造略図である。
【図２】付録図2はネットサポートの構造局部の拡大図である。
【図３】付録図3はネットサポートを折り畳む時の構造略図である。
【図４】付録図4はネットサポートを折り畳み、しかもサポートパイプを打開した時の構造略図である。
【図５】付録図5はネットサポートの伸縮式立柱外管と内管を繋がる時の構造略図である。
【図６】付録図6はネットサポートの立柱サポート伸縮架の局部を拡大した後の構造略図である。
【図７】付録図7はネットサポートの伸縮式立柱の内管を引き出した時の構造略図である。
【図８】付録図8はネットサポートの伸縮式立柱の内管を引き出して球網をつけて、しかも二つのサポートパイプが完全に展開した後の構造略図である。
【図１】
0003143234.tif 000003
【図２】
0003143234.tif 000004
【図３】
0003143234.tif 000005
【図４】
0003143234.tif 000006
【図５】
0003143234.tif 000007
【図６】
0003143234.tif 000008
【図７】
0003143234.tif 000009
【図８】
0003143234.tif 000010
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
これは一種のネットサポートであり、ネットを支えたり、打開したりする時に使い、その特徴が次の通りである：ネットサポートには、伸縮式立柱、コネクター、サポートパイプ、立柱サポート伸縮架があり、二本のサポートパイプが二本の伸縮式立柱の底部のコネクターの両側に連接され、立柱サポート伸縮架の上の部分が二本の伸縮式立柱の滑り部品の上に連接され、下の部分が二つのコネクターに連接される。
【請求項２】
請求項１で述べた内容によると、このネットサポートの特徴は次の通りである：伸縮式立柱の滑り部品の下方でコネクターに近いところに対穿孔があり、支え台が完全に打開された後、滑り部品が対穿孔の下方の位置に落ちて、その後対穿孔に設置された立柱ブラグで滑り部品を固定し、サポートパイプ内における連接用の固定ボルトの上にばねがあり、サポートパイプの外側にパイプクリップがあり、パイプクリップと相応するコネクターの位置の上に差込口がある。
【請求項３】
請求項１で述べた内容によると、このネットサポートの特徴は次の通りである：該伸縮式立柱は外管と内管からなり、外管と内管は跳珠孔方式で連接される。